(57)【要約】【課題】容易に製造できる子ども用のスポーツ・ストローラを提案することである。【解決手段】中心要素（３８）は、少なくとも１つのスライディング要素を有し、前記すべりスリーブは、ガイドウェイを有し、このガイドウェイは、スライディング要素に沿って摺動するように、形成されており、スライディング要素を、中心軸を中心として、すべりスリーブに相対して回転させることによって、すべりスリーブがロック位置から折り畳み位置へ軸方向に移動される。【選択図】      図１
2009073479.tif 000002
【特許請求の範囲】
【請求項１】
子ども用のスポーツ・ストローラ、特に、子どものリハビリ用のスポーツ・ストローラであって、
前記子ども用のスポーツ・ストローラは、
（ａ）シャーシ（１２）であって、
（ｉ）少なくとも１つの前輪（２２）を有する前方フレーム（１４）と、
（ｉｉ）少なくとも１つの後輪（２８）を有する後方フレーム（１６）と
を有するシャーシ（１２）と、
（ｂ）前記スポーツ・ストローラ（１０）を押しまたは引っ張るためのプッシュ・ロッド（３０）と、
（ｃ）シートを保持するためのシート保持手段（３６）と、
（ｄ）中心要素（３８）であって、
（ｉ）前記前方フレーム（１４）と、前記後方フレーム（１６）と、前記プッシュ・ロッド（３０）とをロック可能におよび回動可能に互いに結合し、
（ｉｉ）前記中心要素（３８）を解除するための操作要素（４２）と、
（ｉｉｉ）スリーブ（５６）であって、前記スリーブ（５６）は、
ロック位置および折り畳み位置を有し、前者のロック位置では、前記前方フレーム（１４）は、前記後方フレーム（１６）に回転不能に結合されており、
後者の折り畳み位置では、前記前方フレーム（１４）は、前記後方フレーム（１６）に相対して回動可能である、スリーブ（５６）と、
を有する中心要素（３８）と、
を具備し、
（ｅ）前記中心要素（３８）は、少なくとも１つのスライディング要素（８２，８３）を有し、
（ｆ）前記すべりスリーブ（５６）は、ガイドウェイ（８８）を有し、このガイドウェイは、前記スライディング要素（８２，８３）に沿って摺動するように、形成されており、前記スライディング要素（８２）を、中心軸（９２）を中心として、前記すべりスリーブ（５６）に相対して回転させることによって、前記すべりスリーブ（５６）が前記ロック位置から前記折り畳み位置へ軸方向に移動される、
ことを特徴とする子ども用のスポーツ・ストローラ。
【請求項２】
前記ガイドウェイ（８８）は、前記すべりスリーブ（５６）の縁部に形成されていることを特徴とする請求項１に記載の子ども用のスポーツ・ストローラ。
【請求項３】
前記ガイドウェイ（８８）は、前記すべりスリーブ（５６）の、前記スライディング要素（８２）に向いた、軸方向外側の縁部に、形成されていることを特徴とする請求項２に記載の子ども用のスポーツ・ストローラ。
【請求項４】
前記すべりスリーブ（５６）は、実質的にシリンダジャケット状の本体（９０）を有し、前記ガイドウェイ（８８）は、前記本体（９０）の端面（８６）に形成されていることを特徴とする請求項３に記載の子ども用のスポーツ・ストローラ。
【請求項５】
前記すべりスリーブ（５６）は、前記ロック位置で事前緊張されていることを特徴とする請求項１ないし４のいずれか１に記載の子ども用のスポーツ・ストローラ。
【請求項６】
前記すべりスリーブ（５６）は、前記シャーシ（１２）に相対して設けられており、前記子ども用のスポーツ・ストローラ（１０）の作動位置では、前記プッシュ・ロッド（３０）と水平線（Ｈ）との間のプッシュ・ロッド角度（α）が、事前設定された折り畳み角度よりも大きく、この折り畳み角度は特に−４５度であるときに、前記すべりスリーブは前記ロック位置にあることを特徴とする請求項１ないし５のいずれか１に記載の子ども用のスポーツ・ストローラ。
【請求項７】
前記すべりスリーブ（５６）は、前記シャーシ（１２）に相対して設けられており、前記プッシュ・ロッド角度（α）が、前記折り畳み角度よりも小さいときに、前記すべりスリーブは前記折り畳み位置にあることを特徴とする請求項１ないし６のいずれか１に記載の子ども用のスポーツ・ストローラ。
【請求項８】
前記折り畳み角度は、実質的に前方フレーム角度（γ）および／または後方フレーム角度（β）に対応しており、前記前方フレーム角度で、前記前方フレーム（１４）が前記水平線（Ｈ）に対して延びており、前記後方フレーム角度で、前記後方フレーム（１６）が前記前記水平線（Ｈ）に対して延びていることを特徴とする請求項６または７に記載の子ども用のスポーツ・ストローラ。
【請求項９】
前記中心要素（３８）は、
前方フレーム取付要素（４８）を介して前記前方フレーム（１４）に結合されており、
後方フレーム取付要素（５０）を介して前記後方フレーム（１６）に結合されており、
プッシュ・ロッド取付要素（５２）を介して前記プッシュ・ロッド（３０）に結合されており、
前記前方フレーム取付要素（４８）と、前記後方フレーム取付要素（５０）と、前記プッシュ・ロッド取付要素（５２）と、前記すべりスリーブ（５６）とは、前記中心軸（９２）を中心として同軸に回転可能に取り付けられており、
前記スライディング要素（８２）は、前記プッシュ・ロッド取付要素（５２）に形成されている、
ことを特徴とする請求項１ないし８のいずれか１に記載の子ども用のスポーツ・ストローラ。
【請求項１０】
前記プッシュ・ロッド取付要素（５２）は、
前記操作要素（４２）によって操作可能な調整ディスク（７４）と、
前記すべりスリーブ（５６）の少なくとも１つのロッキング凹部（７８）へ係止するために事前緊張されている少なくとも１つのロッキング要素（７６）と、を有し、
前記調整ディスク（７４）および前記ロッキング要素（７６）は、前記操作要素（４２）の操作が、前記ロッキング要素（７６）を前記ロッキング凹部（７８）から係合解除して、前記プッシュ・ロッド（３０）が、前記シャーシ（１２）に相対して回動可能であるように、形成されている、
ことを特徴とする請求項９に記載の子ども用のスポーツ・ストローラ。
【発明の詳細な説明】
【技術分野】
【０００１】
本発明は、子ども用のスポーツ・ストローラ、特に、子どものリハビリ用スポーツ・ストローラに関する。子ども用のスポーツ・ストローラは、シャーシと、スポーツ・ストローラを押しまたは引っ張るためのプッシュ・ロッドと、シートを保持するためのシート保持手段と、中心要素とを有し、シャーシは、少なくとも１つの前輪を有する前方フレームと、少なくとも１つの後輪を有する後方フレームとを具備し、中心要素は、前方フレームと、後方フレームと、プッシュ・ロッドとをロック可能におよび回動可能に互いに結合し、中心要素を解除するための操作要素と、すべりスリーブとを有し、このすべりスリーブは、ロック位置および折り畳み位置を有し、前者のロック位置で、前方フレームは、回転不能に後方フレームに結合されており、後者の折り畳み位置で、前方フレームは、後方フレームに相対して回動可能である。
【背景技術】
【０００２】
バギーとも呼ばれるこのような子ども用のスポーツ・ストローラは、例えば、特許文献１から公知である。この特許文献に記載された子ども用のスポーツ・ストローラは、プッシュ・ロッドの位置が可変である。スポーツ・ストローラを従来よりも容易に搬送することができるためには、車輪を保持するシャーシを折り畳んだ状態にもたらすための他の機構が設けられている。公知のスポーツ・ストローラの欠点は、スポーツ・ストローラの高い機械的な複雑性である。特に操作要素、例えばボタンが壊れ易いので、公知のスポーツ・ストローラは、欠陥が生じ易い。
【０００３】
特許文献２および特許文献３からは、ベビーカー用のヒンジが公知である。しかし、２つの文献のヒンジは、結果として、かなりの製造コストをもたらす。
【特許文献１】WO 2006/031115 A2
【特許文献２】US 2007/0164538 A1
【特許文献３】EP 1 503 095 A1
【発明の開示】
【０００４】
本発明の課題は、容易に製造できる子ども用のスポーツ・ストローラを提案することである。
【０００５】
本発明の課題は、中心要素が、スライディング要素を有し、すべりスリーブが、ガイドウェイを有し、このガイドウェイは、スライディング要素に沿って摺動するように、形成されており、スライディング要素を、中心軸を中心として、すべりスリーブに相対して回転させることによって、すべりスリーブがロック位置から折り畳み位置へ軸方向に移動されることにより、解決される。
【０００６】
本発明における利点は、スライディング要素をすべりスリーブに相対して回転させることによってのみ、従って、すべりスリーブが停止している際にスライディング要素を回転させることによって、スライディング要素が停止している際にまたはスライディング要素およびすべりスリーブが同時に逆方向に回転する際に、すべりスリーブを回転させることによって、すべりスリーブがロック位置から折り畳み位置へもたらされることである。このような動きを、例えばプッシュ・ロッドによって容易に引き起こすことができるのは、スライディング要素またはすべりスリーブがプッシュ・ロッドに設けられている場合である。子ども用のスポーツ・ストローラの作動の際には、プッシュ・ロッドは、水平線に対し傾いた位置にある。それ故に、子ども用のスポーツ・ストローラは、快適に押すことができる。プッシュ・ロッドを、例えば水平線を越えて下方へ動かすことによって、すべりスリーブは折り畳み位置へもたらされる。かくして、公知の子ども用のスポーツ・ストローラに比較して、操作要素を省略することができる。このことは、製造を容易化し、コストを減じる。同時に、このような子ども用のスポーツ・ストローラは、従来よりも故障が少ない。何故ならば、外から操作される構成部材が少ないからである。
【０００７】
折り畳み機構のための別個の操作要素を省略することができるので、更に、機能障害をもたらすだろう可動部品の汚染の、その危険性が低下する。更なる利点は、直感的な操作性および魅力的で機能的なデザインである。
【０００８】
以下の記述の枠内で、前輪および後輪を引き合いに出す。しかしながら、この引き合いは、任意の限定なのである。というのは、プッシュ・ロッドの適切な回動によって、子ども用のスポーツ・ストローラを後輪で前方へ押すことができるように、子ども用のスポーツ・ストローラを変えることができるからである。
【０００９】
前方フレームが後方フレームに相対して回動可能であるという特徴は、特に、通常の用語法では、前方フレームが回動可能であるが、しかし、後方フレームが停止し、あるいは、後方フレームが回動可能であるが、前方フレームが停止し、あるいは、前方フレームおよび後方フレームが回動可能であることを意味する。
【００１０】
操作要素は、手動で操作可能であり、少なくとも２つの位置すなわち静止位置および解除位置を占めることができる、特に、子ども用のスポーツ・ストローラのあらゆる装置を意味する。操作要素が、例えば、ばねによって、静止位置に事前緊張されていることは好都合である。操作要素を、手動で、解除位置にもたらすことができる。解除位置でのみ、プッシュ・ロッドは、シャーシに相対して、中心軸を中心として回動可能である。操作要素を解除することによって、プッシュ・ロッドは、シャーシに相対する新たな位置にロックされる。
【００１１】
すべりスリーブは、特に、実質的にシリンダジャケット状の本体を有する構成部材を意味する。機能に関しては、シリンダジャケットが完全に閉じられていることは好都合であるが、必要というわけではない。特に、語の成分「スリーブ」を、常に他の物体が包まれているように、解釈する必要はない。
【００１２】
ガイドウェイは、特に、すべりスリーブ上の如何なる構造、すなわち、スライディング要素と協働して、すべりスリーブおよびスライディング要素の互いに相対する回動が、軸方向の移動をもたらすように、形成されている構造をも意味する。ガイドウェイは、少なくとも部分的に、中心軸の回りの動径座標に中心軸に沿った高さを割り当てるガイドウェイの関数によって、記述することができる。このガイドウェイの関数が連続的であることは好ましい。ガイドウェイの関数が少なくとも区分的に滑らかであり、すなわち、連続的に微分可能であることは特に好ましい。
【００１３】
好ましい実施の形態では、ガイドウェイは、すべりスリーブの縁部に形成されている。すべりスリーブの、このような特に簡単な構造が生じる。すべりスリーブは、更に、スライディング要素をすべりスリーブに沿って摺動することによって生じる力を、特に良好に吸収することができる。
【００１４】
更に、ガイドウェイを、すべりスリーブの、スライディング要素に向いた軸方向に外側の縁部に形成することは好都合である。この場合、すべりスリーブが、実質的にシリンダジャケット状の本体を有し、ガイドウェイが、本体の端面に形成されていることは好ましい。スライディング要素の公差への特に僅かな要求が生じる。この代わりに、ガイドウェイが、弓形のスリットに形成されていることができる。このスリットへは、ジャーナルの形態をとるスライディング要素が係合する。
【００１５】
子ども用のスポーツ・ストローラの確かな作動を保証するために、すべりスリーブがロック位置で事前緊張されていることは好ましい。このことによって、すべりスリーブが不意に折り畳み位置に達することが回避される。
【００１６】
好ましい実施の形態では、すべりスリーブは、シャーシに相対して設けられており、子ども用のスポーツ・ストローラの作動位置では、プッシュ・ロッドと水平線との間のプッシュ・ロッド角度は、事前設定された折り畳み角度よりも大きいときに、すべりスリーブがロック位置にあることが意図されている。折り畳み角度は、例えば０°度である。従って、折り畳み角度は、水平線とプッシュ・ロッドとの間の角度である。この角度を下回るとき、すべりスリーブは、折り畳み位置へ到達する。プッシュ・ロッドと水平線との間の折り畳み位置が測定される。プッシュ・ロッドが、子ども用のスポーツ・ストローラの通常の作動の際に通例であるように、水平線の上方に位置しているとき、従って、折り畳み角度は、常に、０°よりも大きくて、９０°よりも小さいか、９０°と同じである。０°よりも小さい、例えば、−３５°よりも小さい角度は、プッシュ・ロッドが水平線の下方へ回動したことを意味する。
【００１７】
特に直感的な操作が生じるのは、折り畳み角度が前方フレーム角度および／または後方フレーム角度に対応するときであり、前方フレーム角度で、前方フレームが水平線に対して延びており、後方フレーム角度で、後方フレームが水平線に対して延びている。この場合、すべりスリーブは、プッシュ・ロッドが、前方フレームおよび／または後方フレームに対し実質的に平行に延びているとき、まさしくそのときに、折り畳み位置に達する。
【００１８】
プッシュ・ロッド角度が折り畳み角度よりも小さいとき、すべりスリーブが折り畳み位置にあることは好ましい。それ故に、前方フレームおよび後方フレームは、互いに相対して回動可能であり、子ども用のスポーツ・ストローラは、場所を取らない配置にもたらされることができる。
【００１９】
好ましい実施の形態では、中心要素は、前方フレーム取付要素を介して前方フレームに結合されており、後方フレーム取付要素を介して後方フレームに結合されており、プッシュ・ロッド取付要素を介してプッシュ・ロッドに結合されており、前方フレーム取付要素と、後方フレーム取付要素と、プッシュ・ロッド取付要素と、すべりスリーブとは、中心軸を中心として同軸に回転可能に取り付けられており、スライディング要素は、プッシュ・ロッド取付要素に形成されている。かくして、プッシュ・ロッドの回動によって、折り畳みが解除されることができる。前方フレーム取付要素と、後方フレーム取付要素と、プッシュ・ロッド取付要素とが、中心軸に関して並設されていることは好ましい。
【００２０】
プッシュ・ロッドを他のプッシュ・ロッド角度へもたらす特に容易な可能性は、プッシュ・ロッド取付要素が、操作要素によって操作可能な調整ディスクと、すべりスリーブの少なくとも１つのロッキング凹部へ係止するために事前緊張されている少なくとも１つのロッキング要素とを有し、調整ディスクおよびロッキング要素は、操作要素の操作が、ロッキング要素をロッキング要素から係合解除して、プッシュ・ロッドが、シャーシに相対して回動可能であるように、形成されていることである。
【００２１】
この場合、操作要素が、この操作要素が事前緊張されていてなる静止位置から、解除位置へもたらされるとき、ロッキング・スリーブおよびロッキング要素が、係合解除される。プッシュ・ロッドは、ロッキング要素が隣接のロッキング凹部に嵌まり込むまで、回動されることができる。操作要素が永続的に解除位置に保たれるとき、任意のプッシュ・ロッド角度を調整することができる。次に、操作要素が、解除されるとき、プッシュ・ロッドは、最近の所定のプッシュ・ロッド角度位置へ嵌まり込む。
【発明を実施するための最良の形態】
【００２２】
以下、添付した図面を参照して、本発明の実施の形態を詳述する。図１は、シャーシ１２を有する子ども用のスポーツ・ストローラ１０を示す。シャーシ自体は、前方フレーム１４および後方フレーム１６を有する。前方フレーム１４は、前方フレーム横方向バー１８と、前方フレーム横方向バー１８に側方に取り付けられている２つの前方フレーム側方バー２０．１，２０．２と、２つの前輪２２．１，２２．２とを有する。
【００２３】
後方フレーム１６は、２つの後方フレーム縦方向バー２６．１，２６．２に取り付けられている後方フレーム横方向バー２４を有する。この後方フレーム横方向バーには、２つの後輪２８．１，２８．２が吊設されている。前方フレーム横方向バー１８は後方フレーム横方向バー２４よりも短い。それ故に、２つの前輪２２は、２つの後輪２８の間へ回動されることができる。添数なしの参照符号は、常に、夫々の物体一般を表わす。
【００２４】
子ども用のスポーツ・ストローラ１０は、更に、プッシュ・ロッド３０を有する。プッシュ・ストローラは、ハンドル３２を有し、押すために用いられる。子ども用のスポーツ・ストローラ１０は、更に、シート保持要素３４．１，３４．２を有する。シート保持要素は、共に、シート保持手段３６の部分である。シート保持手段は、図示しないシートを保持するために、形成されている。
【００２５】
シート保持手段３６に隣接して、中心要素３８が設けられており、シャーシ１２は、シート保持手段３６およびプッシュ・ロッド３０を互いに結合する。中心要素３８は、第１のヒンジ４０．１および第２のヒンジ４０．２を有する。両方のヒンジは、夫々、前方フレーム縦方向バー２０と、後方フレーム縦方向バー２６と、シート保持要素３４と、プッシュ・ロッド３０とに結合されている。第１のヒンジ４０．１および第２のヒンジ４０．２は、添数「．１」を付した構成部材に関して、同一に、例えば、鏡面対照的に形成されている。
【００２６】
第１のヒンジ４０．１は、操作要素４２を有する。操作要素は、フィンガ・グリップ４６と、図２では見えない、フィンガ・グリップ４６に結合されている操作ロッドとを有する。フィンガ・グリップ４６を引っ張ることによって、操作ロッド（参照符号７０、図４ａないし図４ｄを参照。）が、操作方向Ｂに、グリップ３２に向かって動く。
【００２７】
プッシュ・ロッド３０は、子ども用のスポーツ・ストローラ１０の作動位置で、水平線Ｈと、プッシュ・ロッド角度αを形成する。プッシュ・ロッド角度αは、プッシュ・ロッド３０が水平線Ｈの上にあるときは、ゼロよりも大きく、そうでないときは、マイナスである。後方フレーム縦方向バー２６は、水平線Ｈと、４５°の後方フレーム角度βを形成する。この角度は、前方フレーム縦方向バー２０が水平線Ｈと形成する前方フレーム角度γに対応する。
【００２８】
図２は、第１のヒンジ４０．１の斜視図を示す。前方フレーム縦方向バー２０．１が、実質的にディスク状の前方フレーム取付要素４８．１に移行していることが認められる。同様にして、後方フレーム縦方向バー２６．１，は、後方フレーム取付要素５０．１に移行している。後方フレーム取付要素は、同様にディスク状に形成されており、前方フレーム取付要素４８．１と共に、中心軸線Ｚを中心として回転可能である。プッシュ・ロッド３０は、同様にディスク状のプッシュ・ロッド取付要素５２．１に移行している。プッシュ・ロッド取付要素は、前方フレーム取付要素４８．１および後方フレーム取付要素５０．１に隣接して設けられている。第２のヒンジ４０．２（図１）は、鏡面対称的に形成されており、各々の構成部材は、添数「．２」を有する。
【００２９】
図３は、第１のヒンジ４０．１の分解図を示す。このヒンジは、上記の構成要素のほかに、キャップ５４．１と、すべりスリーブ５６．１と、締付要素５８．１とを有する。締付要素５８．１は、スライド・ブシュとも呼ばれ、締付要素が押し込まれるすべりスリーブ５６．１と、図３には示されない中心軸（参照符号９２，図１０参照）との間の摩擦を減じるために、特にそのために用いられる。
【００３０】
プッシュ・ロッド取付要素５２．１は、複数の突起部を有する連結部分６０を具備する。この連結部分は、後方フレーム取付要素５０．１に形成された図示しない複数のリセスと、形状で協働し、連結部分６０は、後方フレーム取付要素５０．１に結合されている。連結部分６０は、プッシュ・ロッド取付要素５２．１の本体６２．１に一体成形されている。
【００３１】
後方フレーム取付要素５０．１は、内側リブ６４．１を有する。内側リブは、すべりスリーブ５６．１の外側リブ６６．１と協働するために、形成されている。後方フレーム取付要素５０．１の内側リブ６４．１は、更に、前方フレーム取付要素４８．１の内側リブ６８．１に対応する。すべりスリーブ５６．１の外側リブ６６．１が、ロック位置で、半分ずつ、内側リブ６４．１および６８．１夫々に突入している。それ故に、後方フレーム取付要素５０．１は、前方フレーム取付要素４８に、回転しないように結合されている。これに対し、外側リブ６６は、折り畳み位置で、内側リブ６４．１にではなく、前方フレーム取付要素４８の内側リブ６８．１に完全に突入している。それ故に、後方フレーム取付要素５０．１は回転可能である。
【００３２】
図４ａないし４ｃで、プッシュ・ロッド角度αを変えるために用いる機構を説明する。
【００３３】
図４ａは、プッシュ・ロッド取付要素５２．１を図３の図で左から見た図を示す。図４ａには、図４ａに示さないフィンガ・グリップ４６（図１を参照せよ）に結合されている操作ロッド７０が認められる。フィンガ・グリップ４６を引っ張ることによって、操作ロッド７０が、操作方向Ｂに引っ張られる。操作ロッド７０の、フィンガ・グリップ４６（図１を参照せよ）から離隔した連結端部７２が、図４ａで大部分覆われている調整ディスク７４に係合する。操作ロッド７０が、操作方向Ｂに動かされるとき、図４ａでは、調整ディスク７４が反時計回りに回転される。図４ａには、操作ロッド７０が静止位置で示されている。操作ロッドは、この静止位置へ、図示しないばねによって予め緊張されている。
【００３４】
図４ｂは、図４ａに示すプッシュ・ロッド取付要素５２．１の背面図を示す。操作ロッド７０が操作方向Ｂに引っ張られるとき、調整ディスク７４は、図４ｂでは、時計回りに回転する。操作ロッド７４には、２つのロッキング要素７６ａ，７６ｂが取り付けられている。これらのロッキング要素は、図４ｂに示した静止位置では、夫々、すべりスリーブ５６．１に形成されたロッキング凹部７８ａ，７８ｂに係合する。ロッキング要素７６ａ，７６ｂは、割り当てられておりかつ本体６２．１（図３を参照せよ）に形成されたガイド８０ａ，８０ｂによって案内されているので、すべりスリーブ５６．１がプッシュ・ロッド取付要素５２．１の本体６２．１（図３を参照せよ）に相対して回転することが阻止される。
【００３５】
図４ｃは、操作ロッド７０が操作方向Ｂに引っ張られたときの状況を示す。このことによって、調整ディスク７４は、反時計回りに回転した。
【００３６】
図４ｄに示すように、このことによって、ロッキング要素７６ａ，７６ｂは、径方向に内側に動かされた。それ故に、これらのロッキング要素は、割り当てられたガイド８０ａ，８０ｂに引き続き接触しているが、すべりスリーブ５６．１のロッキング凹部７８ａ，７８ｂから係合解除されている。この状況で、プッシュ・ロッド３０を、第１のヒンジ４０．１（図３を参照せよ）の他の諸要素に相対して回動することができる。
【００３７】
図５は、図４ａに示した状態にあるプッシュ・ロッド取付要素５２．１を斜視図で示す。
【００３８】
図６は、図４ｂに示した位置にあるプッシュ・ロッド取付要素５２．１の斜視図を示す。
【００３９】
図７は、プッシュ・ロッド取付要素５２．１の他の図を示す。この図では、２つのスライディング要素８２．１，８３．１が認められる。複数のスライディング要素８２は、本体６２．１では、円形に取り囲む溝部８４．１に設けられている。この溝部は、すべりスリーブ５６．１（図３）の端面８６．１が、溝部に入り込むことができるように、形成されている。ここでは、すべりスリーブ５６．１の端面８６．１に形成されている、図３に見られるガイドウェイ８８．１が、スライディング要素８２．１，８３．１と接触する。
【００４０】
スライディング要素８２．１，８３．１が、すべりスリーブ５６．１に相対して回転されるとき、一方ではガイドウェイ８８．１が、他方ではスライディング要素８２．１，８３．１が、互いに摺動する。プッシュ・ロッド取付要素５２．１に相対してすべりスリーブ５６．１が中心軸線Ｚ（図３）に沿って軸方向に移動する。
【００４１】
図８は、ガイドウェイ８８を有するすべりスリーブ５６．１を示す。図８に示すように、中心軸線Ｚをｚ軸線として解釈するとき、ガイドウェイ８８を、ガイドウェイの関数ｚ（φ）として記述することが可能である。スリーブ５６．１は、実質的にシリンダジャケット状の本体９０．１を有する。本体の端面８６．１で、ガイドウェイ８８．１は、中心軸線Ｚに関して２つの向かい合っている点が、ｚ軸線上に同一のｚ値を有するように、形成されている。従って、ガイドウェイ８８．１は、２つのセグメント、すなわち、第１のセグメント８８ａおよび第２のセグメント８８ｂを有する。これらのセグメントは、動径座標φに関して連続する。本体９０．１には、更に、ロッキング凹部７８ａ，７８ｂ，．．．７８ｅが形成されている。
【００４２】
図９は、ガイドウェイ８８．１の関数ｚ（φ）を示す。すべりスリーブ５６．１に相対した３つの異なった回転位置にあるときの、スライディング要素８２．１（図７を参照）が略示されている。対応の位置ａ，ｂ，ｃが図８にも示されている。スライディング要素８２が、すべりスリーブ５６．１の回転の際に、ガイドウェイ８８．１に沿って摺動することが認められる。
【００４３】
図１０は、中心軸９２に設けられた複数の構成要素を有する第１のヒンジ４０．１の横断面を示す。すべりスリーブ５６．１は、歯車装置９４．１と共に、中心軸９２に回転自在に取り付けられており、中心軸線Ｚに沿って軸方向に移動可能である。ばね９６．１は、締付要素５８．１を介して、すべりスリーブ５６．１を前方フレーム取付要素４８．１へ締め付ける。前方フレーム取付要素は、中心軸９２にしっかり結合されている。
【００４４】
プッシュ・ロッド取付要素５２．１の本体６２．１が、固定式の中心軸９２を中心として回動するとき、図１０には見られないスライディング要素８２．１，８３．１（図７を参照）が、ガイドウェイ８８．１および８８．２に沿って摺動し、すべりスリーブ５６．１を、ばね９６．１の力に抗して、内側へ押圧する。この場合、すべりスリーブ５６．１の外側リブ６６．１は、後方フレーム取付要素５０．１の内側リブ６４．１から係合解除されている。後方フレーム取付要素５０．１は、このとき、前方フレーム取付要素４８．１に向かって回動されることができる。この状況は、プッシュ・ロッド角度α(図１)が、折り畳み角度αｆａｌｔよりも小さいときに、生じる。この折り畳み角度は、ここでは、夫々−４５°の後方フレーム角度βおよび前方フレーム角度γに対応する。
【００４５】
プッシュ・ロッド角度αがマイナス４５°よりも大きいとき、図１０に示すように、すべりスリーブ５６．１はロック位置にある。それ故に、外側リブ６６は、後方フレーム取付要素５０．１の内側リブ６４と噛み合い、同時に、前方フレーム取付要素４８．１の内側リブ６８と噛み合い、両者は回転しないように互いに結合されている。
【図面の簡単な説明】
【００４６】
【図１】シートを有しない本発明に係わる子ども用のスポーツ・ストローラの斜視図を示す。
【図２】図１に示す子ども用のスポーツ・ストローラの中心要素の斜視図を示す。
【図３】図２に示す中心要素の分解図を示す。
【図４ａ】図２および３に示す中心要素の、静止位置にあるプッシュ・ロッド取付要素の平面図を示す。
【図４ｂ】静止位置にある、図４ａのプッシュ・ロッド取付要素を、裏面から見た平面図を示す。
【図４ｃ】解除位置にある、図４ａのプッシュ・ロッド取付要素の、その図を示す。
【図４ｄ】解除位置にある、図４ｂに示すプッシュ・ロッド取付要素の、その図を示す。
【図５】図４ａおよび４ｃに示す面から見たプッシュ・ロッド取付要素を斜視図で示す。
【図６】図４ｂおよび４ｄに示す面から見たプッシュ・ロッド取付要素を斜視図で示す。
【図７】図６に示すプッシュ・ロッド取付要素を、調整ディスクおよびロッキング要素を除去して示す。２つのスライディング要素が認められる。
【図８】図３の中心要素のすべりスリーブの側面斜視図を示す。
【図９】すべりスリーブのガイドウェイと、プッシュ・ロッド取付要素のスライディング要素との協働の略図を示す。
【図１０】図３に示す中心要素の横断面を示す。
【符号の説明】
【００４７】
１０  子ども用のスポーツ・ストローラ
１２  シャーシ
１４  前方フレーム
１６  後方フレーム
１８  前方フレーム横方向バー
２０  前方フレーム縦方向バー
２２  前輪
２４  後方フレーム横方向バー
２６  後方フレーム縦方向バー
２８  後輪
３０  プッシュ・ロッド
３２  ハンドル
３４  シート保持要素
３６  シート保持手段
３８  中心要素
４０  第１のヒンジ、第２のヒンジ
４２  操作要素
４６  フィンガ・グリップ
４８  前方フレーム取付要素
５０  後方フレーム取付要素
５２  プッシュ・ロッド取付要素
５４  キャップ
５６  すべりスリーブ
５８  締付要素
６０  連結要素
６２  本体
６４  内側リブ
６６  外側リブ
６８  内側リブ
７０  操作ロッド
７２  連結端部
７４  調整ディスク
７６  ロッキング要素
７８  ロッキング凹部
８０  ガイド
８２  スライディング要素
８３  スライディング要素
８４  溝部
８６  端面
８８  ガイドウェイ
９０  本体
９２  中心軸
９４  歯車装置
９６  ばね
α  プッシュ・ロッド角度
β  後方フレーム角度
γ  前方フレーム角度
Ｂ  操作方向
Ｚ  中心軸線
Ｈ  水平線
ｚ  軸座標
φ  動径座標
ｚ（φ）  ガイドウェイの関数
【図１】
2009073479.tif 000003
【図２】
2009073479.tif 000004
【図３】
2009073479.tif 000005
【図４ａ】
2009073479.tif 000006
【図４ｂ】
2009073479.tif 000007
【図４ｃ】
2009073479.tif 000008
【図４ｄ】
2009073479.tif 000009
【図５】
2009073479.tif 000010
【図６】
2009073479.tif 000011
【図７】
2009073479.tif 000012
【図８】
2009073479.tif 000013
【図９】
2009073479.tif 000014
【図１０】
2009073479.tif 000015